(57)【要約】【課題】作動力量を低い値とし、かつ、その変動を抑えるとともに、直進移動筒を精度よく移動させることができるレンズ鏡筒を提供する。【解決手段】カムピン１１を有し、直進ガイド係合部１２を有する移動筒１と、カムピン１１に係合するカム溝２１及びガタ寄せ部２２を有するカム部材２と、移動筒１に保持されて移動筒１とともに移動する部材であって、カム部材２のガタ寄せ部２２に係合するガタ寄せ部材４と、直進ガイド係合部１２に係合する直進ガイド部３１を有する直進ガイド部材３と、移動筒とガタ寄せ部材とを直進移動部材の移動方向に付勢する弾性部材５と、をレンズ鏡筒に備える。【選択図】図１
2005077935.tif 000002
【特許請求の範囲】
【請求項１】
カムピンを有し、直進ガイド係合部を有する直進移動部材と、
前記カムピンに係合するカム溝及びガタ寄せ部を有するカム部材と、
前記直進移動部材に保持されて前記直進移動部材とともに移動する部材であって、前記カム部材のガタ寄せ部に係合するガタ寄せ部材と、
前記直進ガイド係合部に係合する直進ガイド部を有する直進ガイド部材と、
前記直進移動部材と前記ガタ寄せ部材とを前記直進移動部材の移動方向に付勢する弾性部材と、
を備えたレンズ鏡筒。
【請求項２】
請求項１に記載のレンズ鏡筒において、前記ガタ寄せ部は、前記カム溝と略同一形状の溝であること、
を特徴とするレンズ鏡筒。
【請求項３】
請求項１又は請求項２に記載のレンズ鏡筒において、
前記弾性部材の発生する付勢力は、前記直進移動部材の移動範囲中の所定の範囲内において一定であること、
を特徴とするレンズ鏡筒。
【発明の詳細な説明】
【技術分野】
【０００１】
本発明は、カメラなどに用いられるレンズ鏡筒に関するものである。
【背景技術】
【０００２】
カメラ等のレンズ鏡筒では、カム機構により、撮影光学系の光軸まわりのカム筒の回転駆動力を光軸に沿った直進駆動力に変換して、直進移動筒を移動させるものが広く使われている。
通常、カム筒には、カム溝が設けられ、このカム溝に係合するカムピンが直進移動筒に固定され、このカム溝及びカムピンを介して駆動力が伝わるようになっている。
このカム溝とカムピンとの間にある隙間（ガタ）が大きいと、直進移動筒の光軸方向の位置が不安定となったり、直進移動筒が傾いたりして、撮影光学系の光学特性に悪影響を及ぼしてしまう。
【０００３】
そこで、従来から、カムのガタを一方向に寄せて安定させる手法が提案されている。例えば、特許文献１〜３には、光軸方向で他の部材と直進移動部材との間で付勢力を与えて、カムのガタを一方向に寄せる手法が開示されている。
また、カムピンに対し、光軸に垂直な方向に付勢力を与えて、カム筒のカム溝との間のガタを寄せる手法もあった。
【０００４】
しかし、光軸方向に付勢力を与える手法では、直進移動筒の位置に応じて付勢力量の変動があり、必要な力量を得るためには、不必要に大きい力量を発生せざるを得なくなり、作動力量が大きくなったりしてしまうという問題があった。
また、光軸に垂直な方向に付勢力を与える手法では、カムの作動力量が大きくなったり、部材の中心位置が安定しにくいという問題があった。
【特許文献１】特開平６−２５００６３号公報
【特許文献２】特開平１１−１０９２０９号公報
【特許文献３】実開平０５−８４９０９号公報
【発明の開示】
【発明が解決しようとする課題】
【０００５】
本発明の課題は、作動力量を低い値とし、かつ、その変動を抑えるとともに、直進移動筒を精度よく移動させることができるレンズ鏡筒を提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、カムピン（１１）を有し、直進ガイド係合部（１２）を有する直進移動部材（１）と、前記カムピンに係合するカム溝（２１）及びガタ寄せ部（２２）を有するカム部材（２）と、前記直進移動部材に保持されて前記直進移動部材とともに移動する部材であって、前記カム部材のガタ寄せ部に係合するガタ寄せ部材（４）と、前記直進ガイド係合部に係合する直進ガイド部（３１）を有する直進ガイド部材（３）と、前記直進移動部材と前記ガタ寄せ部材とを前記直進移動部材の移動方向に付勢する弾性部材（５）と、を備えたレンズ鏡筒である。
【０００７】
請求項２の発明は、請求項１に記載のレンズ鏡筒において、前記ガタ寄せ部（２２）は、前記カム溝（２１）と略同一形状の溝であること、を特徴とするレンズ鏡筒である。
【０００８】
請求項３の発明は、請求項１又は請求項２に記載のレンズ鏡筒において、前記弾性部材（５）の発生する付勢力は、前記直進移動部材の移動範囲中の所定の範囲内において一定であること、を特徴とするレンズ鏡筒である。
【発明の効果】
【０００９】
（１）移動部材に保持されて移動部材とともに移動する部材であって、カム部材のガタ寄せ部に係合するガタ寄せ部材と、直進移動部材とガタ寄せ部材とを直進移動部材の移動方向に付勢する弾性部材とを備えたので、作動力量の変動を抑えながらガタを寄せることができ、直進移動筒を精度よく滑らかに移動させることができる。
【００１０】
（２）ガタ寄せ部は、カム溝と略同一形状の溝であるので、直進移動部材の位置によらずに、常に一定の軽い付勢力によりガタ寄せを行うことができる。
【００１１】
（３）弾性部材の発生する付勢力は、前記直進移動部材の移動範囲中の所定の範囲内において一定であるので、直進移動筒を滑らかに移動させることができる。
【発明を実施するための最良の形態】
【００１２】
本発明は、作動力量を低い値とし、かつ、その変動を抑えるとともに、直進移動筒を精度よく移動させるという目的を、最小限の部品点数により、大型化することなく実現した。
【実施例】
【００１３】
図１は、本発明のレンズ鏡筒の実施例の断面図である。
本実施例におけるレンズ鏡筒は、移動筒１，カム筒２，直進ガイド筒３，ガタ寄せ部材４，弾性部材５等を有したカメラのレンズ鏡筒である。
移動筒１は、不図示のレンズを保持し、合焦やズーム、沈胴などにより光軸方向に移動する直進移動部材である。移動筒１には、後述のカム溝２１に係合するカムピン１１が円周方向で３ヵ所略均等に配置されている。なお、このカムピン１１は、移動筒１とは別部品により形成されていてもよいし、一体であってもよい。
また、移動筒１には、直進ガイド係合部１２が設けられ、後述の直進ガイド部３１によって直進ガイドされている。
【００１４】
カム筒２は、移動筒１に光軸まわりで回転可能に保持されるカム部材である。カム筒２は、移動筒１の光軸方向の位置を決めるカム溝２１と、ガタ寄せ部２２を有している。このカム筒２を不図示の駆動手段により光軸中心に回転させることで、移動筒１は、回転せずにカム溝２１に沿って移動する。
直進ガイド筒３は、移動筒１の直進移動をガイドする直進ガイド部材である。直進ガイド筒３には、直進ガイド係合部１２と係合して移動筒１を直進ガイドする直進ガイド部３１が設けられている。
【００１５】
ガタ寄せ部材４は、光軸方向に移動可能、かつ、回転不可の状態で移動筒１に保持されたリング状の部材である。また、ガタ寄せ部材４は、カム筒２のガタ寄せ部２２に係合するピン４１を有している。このピン４１は、カムピン１１の近傍となる位置にカムピン１１と同様に３ヵ所設けられている。
【００１６】
弾性部材５は、ガタ寄せ部材４と移動筒１との間に位置し、移動筒１を図１の上で左（被写体方向）に光軸に沿って付勢する付勢力を発生するコイルばねである。弾性部材５は、カムピン１１及びピン４１に対応して３つ設けられている。
この弾性部材が移動筒１とガタ寄せ部材４の間に介在することにより、移動筒１のカムピン１１がカム筒２のカム溝２１に対し、常に押し当てられ、ガタを寄せることができる。
【００１７】
図２は、カムピン１１、ガタ寄せ部材４、弾性部材５の部分の拡大図である。
弾性部材５は、圧縮コイルバネであり、移動筒１には弾性部材５が外れないように、保持部１４が設けられ、さらに、ガタ寄せ部材４が脱落しないように壁部１５が設けられている。
【００１８】
図３は、カム筒２の展開図である。
図４は、本実施例における各部品の斜視図である。
カム筒２のカム溝２１には、移動筒１のカムピン１１が係合し、カム筒２の回転（図３中の矢印Ａ方向）により移動筒１は、カム溝２１に沿って移動する。
本実施例におけるガタ寄せ部２２は、カム溝２１と同一形状（同一軌跡）となっている。このガタ寄せ部２２には、ガタ寄せ部材４に設けられたピン４１が係合している。
【００１９】
ガタ寄せ部材４は、移動筒１に設けられたガタ寄せ部材回転制限１３（図４参照）と係合する回転制限部４２（図４参照）によって、移動筒１に対して回転しない。
したがって、移動筒１が移動してもガタ寄せ部材４と移動筒１の光軸方向の位置は変化せず、ガタ寄せ部材４は、移動筒１とともに移動する。
【００２０】
移動筒１とガタ寄せ部材４との間には、弾性部材５が介在しているので、カムピン１１は常にカム溝２１に対し一方向に付勢されていることになる。
また、カム溝２１とガタ寄せ部２２を同一形状にしたためカムピン１１とピン４１（ガタ寄せ部材４）の光軸方向の位置関係は一定に保持される。よって、弾性部材５のチャージ量が常に一定となり、付勢力を一定にすることができる。
さらに、付勢力が一定となることから、この付勢力を必要最小限な低い値とすることができ、作動力量を低くすることができる。
（変形形態）
【００２１】
以上説明した実施例に限定されることなく、種々の変形や変更が可能であって、それらも本発明の均等の範囲内である。
（１）本実施例において、圧縮コイルばねである弾性部材５を３つ用いて付勢力を与えている例を示したが、これに限らず、例えば、弾性部材５の数を４つ、５つにするなどして増やしてもよいし、２つとして減らしてもよい。また、弾性部材として、ウェーブワッシャを用いてもよい。
【００２２】
（２）本実施例において、ガタ寄せ部材４は、リング状の部材である例を示したが、これに限らず、例えば、カムピン１１に対応してガタ寄せ部材を３ヵ所に設けてもよい。
【００２３】
（３）本実施例において、ガタ寄せ部２２は、カム溝２１と同一形状である例を示したが、これに限らず、例えば、ガタ寄せ部の軌跡をカム溝とは異なるようにしてもよい。
【図面の簡単な説明】
【００２４】
【図１】本発明のレンズ鏡筒の実施例の断面図である。
【図２】カムピン１１、ガタ寄せ部材４、弾性部材５の部分の拡大図である。
【図３】カム筒２の展開図である。
【図４】本実施例における各部品の斜視図である。
【符号の説明】
【００２５】
１    移動筒
１１  カムピン
１２  直進ガイド係合部
２    カム筒
２１  カム溝
２２  ガタ寄せ部
３    直進ガイド筒
３１  直進ガイド部
４    ガタ寄せ部材
４１  ピン
５    弾性部材
【図１】
2005077935.tif 000003
【図２】
2005077935.tif 000004
【図３】
2005077935.tif 000005
【図４】
2005077935.tif 000006